【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域に設けられ、遊技球が進入可能な始動領域と、
前記始動領域への遊技球の進入を条件として、大役遊技の実行可否を決定する大役抽選に用いられる大役遊技用乱数を少なくとも取得し、保留情報として記憶部に記憶する乱数取得手段と、
始動条件の成立により、前記記憶部に記憶された前記大役遊技用乱数を読み出すとともに、該読み出した大役遊技用乱数に基づいて、前記大役遊技を実行可能とする大当たり抽選結果、および、該大役遊技を不実行とするハズレ抽選結果を含む抽選結果の中からいずれかの抽選結果を導出する抽選手段と、
前記抽選手段によって導出された抽選結果に基づいて、画像表示部の所定の演出図柄変動表示領域における演出図柄の停止表示態様によって報知される変動演出の実行態様を決定するための変動情報を決定する変動情報決定手段と、
少なくとも前記変動情報決定手段によって決定された前記変動情報に基づいて、前記演出図柄の表示態様を決定する演出図柄表示態様決定手段と、
前記演出図柄表示態様決定手段の決定にしたがって、前記演出図柄変動表示領域において、前記演出図柄を変動表示および停止表示させる演出図柄表示制御手段と、
前記変動情報決定手段によって決定された前記変動情報に基づいて、予め設けられた複数種類の第１示唆画像それぞれの表示パターンである第１示唆表示態様を決定する第１示唆演出決定手段と、
前記画像表示部のうちの予め設けられた第１領域において、前記第１示唆演出決定手段によって決定された前記第１示唆表示態様で、前記第１示唆画像を表示させる第１示唆演出を実行する第１示唆演出実行手段と、
前記変動情報決定手段によって決定された前記変動情報に基づいて、前記第１示唆画像とは異なる複数種類の第２示唆画像それぞれの表示パターンである第２示唆表示態様を決定する第２示唆演出決定手段と、
前記画像表示部における前記第１領域とは異なる第２領域において、前記第２示唆演出決定手段によって決定された前記第２示唆表示態様で、前記第２示唆画像を表示させる第２示唆演出を実行する第２示唆演出実行手段と、
を備え、
前記第１示唆演出決定手段は、
前記変動情報に対応付けられた、前記大役遊技の実行を可能とする抽選結果が報知される信頼度が高い場合と低い場合とでの前記第１示唆演出における前記第１示唆画像の出現比率の差が、該信頼度が高い場合と低い場合とでの前記第２示唆演出における前記第２示唆画像の出現比率の差よりも小さくなるように、前記第１示唆表示態様を決定することを特徴とする遊技機。
【請求項２】
前記第１示唆演出決定手段は、
前記第１示唆演出における１または複数種類の前記第１示唆画像の出現比率が、前記第２示唆演出における前記第２示唆画像の出現比率よりも高くなるように、前記第１示唆表示態様を決定することを特徴とする請求項１に記載の遊技機。
【請求項３】
前記第１示唆演出決定手段は、
前記第１示唆演出における前記第１示唆画像の出現比率が、前記信頼度に拘わらず、所定の出現比率よりも高くなるように、前記第１示唆表示態様を決定し、
前記第２示唆演出決定手段は、
前記信頼度が所定値以上の場合に、前記第２示唆演出における前記第２示唆画像の出現比率が相対的に高くなるように、前記第２示唆表示態様を決定することを特徴とする請求項１または２に記載の遊技機。
【請求項４】
前記記憶部に記憶された保留情報が前記抽選手段によって読み出された際に導出される前記大役抽選の結果、および、該保留情報に基づいて前記変動情報決定手段が決定する前記変動情報のいずれかを少なくとも示す事前判定情報を、該保留情報が前記抽選手段によって読み出されるよりも前に判定して導出する事前判定手段と、
前記事前判定手段によって導出された前記事前判定情報に基づいて、前記第１示唆画像および前記第２示唆画像と異なる複数種類の先読み画像それぞれの表示パターンである先読み表示態様を決定する先読み演出決定手段と、
前記画像表示部における前記第１領域および前記第２領域とは異なる第３領域において、前記先読み演出決定手段によって決定された先読み表示態様で、前記先読み画像を表示させる先読み演出を実行する先読み演出実行手段と、
を備えることを特徴とする請求項１から３のいずれか１項に記載の遊技機。
【請求項５】
前記第１示唆画像、前記第２示唆画像および前記先読み画像は、複数の画像群のいずれかに属し、
前記画像群を切り替える操作を受け付ける操作部を備え、
前記第１示唆演出実行手段は、
前記操作部から前記画像群を切り替える操作が入力された際に、前記第１示唆演出決定手段により決定された前記第１示唆表示態様により表示されている前記第１示唆画像を、切り替えられた該画像群に属する第１示唆画像に切り替えて前記第１示唆演出を継続して実行し、
前記第２示唆演出実行手段は、
前記操作部から前記画像群を切り替える操作が入力された際に、前記第２示唆演出決定手段により決定された前記第２示唆表示態様により表示されている前記第２示唆画像を、切り替えられた該画像群に属する第２示唆画像に切り替えて前記第２示唆演出を継続して実行し、
前記先読み演出実行手段は、
前記操作部から前記画像群を切り替える操作が入力された際に、前記先読み演出決定手段により決定された前記先読み表示態様により表示されている前記先読み画像を、切り替えられた該画像群に属する先読み画像に切り替えて前記先読み演出を継続して実行することを特徴とする請求項４に記載の遊技機。
【請求項６】
前記事前判定手段によって導出された前記事前判定情報に基づいて、前記記憶部に記憶された保留情報に対応する保留表示の表示態様を決定する保留表示決定手段と、
前記保留表示決定手段により決定された前記保留表示の表示態様により、前記第３領域において前記保留表示を行う保留表示実行手段と、を備え、
前記先読み表示態様は、
前記事前判定手段によって導出された前記事前判定情報に基づいて、前記保留表示実行手段によって表示された前記保留表示に対して前記先読み画像の移動表示を行う特別表示態様が含まれ、
前記先読み演出実行手段は、
前記先読み演出決定手段により前記特別表示態様が決定された場合、前記保留表示に対して前記先読み画像の移動表示を行うとともに、移動表示された該先読み画像を、移動表示された前記変動演出中、または、移動表示された前記変動演出中およびその後の変動演出において継続して表示することを特徴とする請求項４または５に記載の遊技機。
【請求項７】
前記大役遊技の終了後に、該大役遊技の終了後の遊技状態を、相対的に有利度合いが高い特定遊技状態を含む複数の遊技状態の中からいずれかの遊技状態に設定する大役遊技後遊技状態設定手段と、
前記大役遊技後遊技状態設定手段によって前記特定遊技状態に設定された場合、前記複数の画像群のいずれかの画像群に属する前記第１示唆画像、前記第２示唆画像および前記先読み画像それぞれの表示パターンである特定遊技状態表示態様を決定する特定遊技状態演出決定手段と、
前記画像表示部における前記第１領域、前記第２領域および前記第３領域の少なくとも一つと重複する第４領域において、前記特定遊技状態演出決定手段によって決定された特定遊技状態表示態様で、前記第１示唆画像、前記第２示唆画像および前記先読み画像を表示させる特定遊技状態演出を実行する特定遊技状態演出実行手段と
を備え、
前記第１示唆演出実行手段は、前記第１領域と前記第４領域とが重複し、前記特定遊技演出実行手段により前記特定遊技状態演出が実行される場合、前記第１示唆演出を不実行とし、
前記第２示唆演出実行手段は、前記第２領域と前記第４領域とが重複し、前記特定遊技演出実行手段により前記特定遊技状態演出が実行される場合、前記第２示唆演出を不実行とし、
前記先読み演出実行手段は、前記第３領域と前記第４領域とが重複し、前記特定遊技演出実行手段により前記特定遊技状態演出が実行される場合、前記先読み演出を不実行とすることを特徴とする請求項４から６のいずれか１項に記載の遊技機。
【手続補正２】
【補正対象書類名】明細書
【補正対象項目名】０００８
【補正方法】変更
【補正の内容】
【０００８】
上記課題を解決するために、本発明の遊技機は、遊技球が流下する遊技領域が形成された遊技盤と、前記遊技領域に設けられ、遊技球が進入可能な始動領域と、前記始動領域への遊技球の進入を条件として、大役遊技の実行可否を決定する大役抽選に用いられる大役遊技用乱数を少なくとも取得し、保留情報として記憶部に記憶する乱数取得手段と、始動条件の成立により、前記記憶部に記憶された前記大役遊技用乱数を読み出すとともに、該読み出した大役遊技用乱数に基づいて、前記大役遊技を実行可能とする大当たり抽選結果、および、該大役遊技を不実行とするハズレ抽選結果を含む抽選結果の中からいずれかの抽選結果を導出する抽選手段と、前記抽選手段によって導出された抽選結果に基づいて、画像表示部の所定の演出図柄変動表示領域における演出図柄の停止表示態様によって報知される変動演出の実行態様を決定するための変動情報を決定する変動情報決定手段と、少なくとも前記変動情報決定手段によって決定された前記変動情報に基づいて、前記演出図柄の表示態様を決定する演出図柄表示態様決定手段と、前記演出図柄表示態様決定手段の決定にしたがって、前記演出図柄変動表示領域において、前記演出図柄を変動表示および停止表示させる演出図柄表示制御手段と、前記変動情報決定手段によって決定された前記変動情報に基づいて、予め設けられた複数種類の第１示唆画像それぞれの表示パターンである第１示唆表示態様を決定する第１示唆演出決定手段と、前記画像表示部のうちの予め設けられた第１領域において、前記第１示唆演出決定手段によって決定された前記第１示唆表示態様で、前記第１示唆画像を表示させる第１示唆演出を実行する第１示唆演出実行手段と、前記変動情報決定手段によって決定された前記変動情報に基づいて、前記第１示唆画像とは異なる複数種類の第２示唆画像それぞれの表示パターンである第２示唆表示態様を決定する第２示唆演出決定手段と、前記画像表示部における前記第１領域とは異なる第２領域において、前記第２示唆演出決定手段によって決定された前記第２示唆表示態様で、前記第２示唆画像を表示させる第２示唆演出を実行する第２示唆演出実行手段と、を備え、前記第１示唆演出決定手段は、前記変動情報に対応付けられた、前記大役遊技の実行を可能とする抽選結果が報知される信頼度が高い場合と低い場合とでの前記第１示唆演出における前記第１示唆画像の出現比率の差が、該信頼度が高い場合と低い場合とでの前記第２示唆演出における前記第２示唆画像の出現比率の差よりも小さくなるように、前記第１示唆表示態様を決定する。
【手続補正３】
【補正対象書類名】明細書
【補正対象項目名】０００９
【補正方法】変更
【補正の内容】
【０００９】
また、前記第１示唆演出決定手段は、前記第１示唆演出における１または複数種類の前記第１示唆画像の出現比率が、前記第２示唆演出における前記第２示唆画像の出現比率よりも高くなるように、前記第１示唆表示態様を決定するようにしてもよい。
【手続補正４】
【補正対象書類名】明細書
【補正対象項目名】００１０
【補正方法】変更
【補正の内容】
【００１０】
また、前記第１示唆演出決定手段は、前記第１示唆演出における前記第１示唆画像の出現比率が、前記信頼度に拘わらず、所定の出現比率よりも高くなるように、前記第１示唆表示態様を決定し、前記第２示唆演出決定手段は、前記信頼度が所定値以上の場合に、前記第２示唆演出における前記第２示唆画像の出現比率が相対的に高くなるように、前記第２示唆表示態様を決定するようにしてもよい。
【手続補正５】
【補正対象書類名】明細書
【補正対象項目名】００１１
【補正方法】変更
【補正の内容】
【００１１】
また、前記記憶部に記憶された保留情報が前記抽選手段によって読み出された際に導出される前記大役抽選の結果、および、該保留情報に基づいて前記変動情報決定手段が決定する前記変動情報のいずれかを少なくとも示す事前判定情報を、該保留情報が前記抽選手段によって読み出されるよりも前に判定して導出する事前判定手段と、前記事前判定手段によって導出された前記事前判定情報に基づいて、前記第１示唆画像および前記第２示唆画像と異なる複数種類の先読み画像それぞれの表示パターンである先読み表示態様を決定する先読み演出決定手段と、前記画像表示部における前記第１領域および前記第２領域とは異なる第３領域において、前記先読み演出決定手段によって決定された先読み表示態様で、前記先読み画像を表示させる先読み演出を実行する先読み演出実行手段と、を備えるようにしてもよい。
【手続補正６】
【補正対象書類名】明細書
【補正対象項目名】００１２
【補正方法】変更
【補正の内容】
【００１２】
また、前記第１示唆画像、前記第２示唆画像および前記先読み画像は、複数の画像群のいずれかに属し、前記画像群を切り替える操作を受け付ける操作部を備え、前記第１示唆演出実行手段は、前記操作部から前記画像群を切り替える操作が入力された際に、前記第１示唆演出決定手段により決定された前記第１示唆表示態様により表示されている前記第１示唆画像を、切り替えられた該画像群に属する第１示唆画像に切り替えて前記第１示唆演出を継続して実行し、前記第２示唆演出実行手段は、前記操作部から前記画像群を切り替える操作が入力された際に、前記第２示唆演出決定手段により決定された前記第２示唆表示態様により表示されている前記第２示唆画像を、切り替えられた該画像群に属する第２示唆画像に切り替えて前記第２示唆演出を継続して実行し、前記先読み演出実行手段は、前記操作部から前記画像群を切り替える操作が入力された際に、前記先読み演出決定手段により決定された前記先読み表示態様により表示されている前記先読み画像を、切り替えられた該画像群に属する先読み画像に切り替えて前記先読み演出を継続して実行するようにしてもよい。
【手続補正７】
【補正対象書類名】明細書
【補正対象項目名】００１３
【補正方法】変更
【補正の内容】
【００１３】
また、前記事前判定手段によって導出された前記事前判定情報に基づいて、前記記憶部に記憶された保留情報に対応する保留表示の表示態様を決定する保留表示決定手段と、前記保留表示決定手段により決定された前記保留表示の表示態様により、前記第３領域において前記保留表示を行う保留表示実行手段と、を備え、前記先読み表示態様は、前記事前判定手段によって導出された前記事前判定情報に基づいて、前記保留表示実行手段によって表示された前記保留表示に対して前記先読み画像の移動表示を行う特別表示態様が含まれ、前記先読み演出実行手段は、前記先読み演出決定手段により前記特別表示態様が決定された場合、前記保留表示に対して前記先読み画像の移動表示を行うとともに、移動表示された該先読み画像を、移動表示された前記変動演出中、または、移動表示された前記変動演出中およびその後の変動演出において継続して表示するようにしてもよい。
【手続補正８】
【補正対象書類名】明細書
【補正対象項目名】００１４
【補正方法】変更
【補正の内容】
【００１４】
また、前記大役遊技の終了後に、該大役遊技の終了後の遊技状態を、相対的に有利度合いが高い特定遊技状態を含む複数の遊技状態の中からいずれかの遊技状態に設定する大役遊技後遊技状態設定手段と、前記大役遊技後遊技状態設定手段によって前記特定遊技状態に設定された場合、前記複数の画像群のいずれかの画像群に属する前記第１示唆画像、前記第２示唆画像および前記先読み画像それぞれの表示パターンである特定遊技状態表示態様を決定する特定遊技状態演出決定手段と、前記画像表示部における前記第１領域、前記第２領域および前記第３領域の少なくとも一つと重複する第４領域において、前記特定遊技状態演出決定手段によって決定された特定遊技状態表示態様で、前記第１示唆画像、前記第２示唆画像および前記先読み画像を表示させる特定遊技状態演出を実行する特定遊技状態演出実行手段とを備え、前記第１示唆演出実行手段は、前記第１領域と前記第４領域とが重複し、前記特定遊技演出実行手段により前記特定遊技状態演出が実行される場合、前記第１示唆演出を不実行とし、前記第２示唆演出実行手段は、前記第２領域と前記第４領域とが重複し、前記特定遊技演出実行手段により前記特定遊技状態演出が実行される場合、前記第２示唆演出を不実行とし、前記先読み演出実行手段は、前記第３領域と前記第４領域とが重複し、前記特定遊技演出実行手段により前記特定遊技状態演出が実行される場合、前記先読み演出を不実行とするようにしてもよい。